(57)【要約】【課題】チャージポンプ方式の昇圧回路におけるコンデンサ接続端子の地絡保護機能を簡易な回路構成で実現する。【解決手段】電源電圧ＶＣＣが印加される端子ＶＣＣからコンデンサＣ１の一方の電極と接続される端子ＶＰに至る電流経路に、端子ＶＣＣから端子ＶＰへ向かって順方向となるように挿入された整流素子１１と、整流素子１１と端子ＶＰとの間の電流経路に、整流素子１１から端子ＶＰに向かって順方向となるように挿入された整流素子１２と、コンデンサＣ２の一方の電極と接続され、振動電圧が印加される端子ＢＣ１と、整流素子１１と整流素子１２との間の電流経路と接続されており、かつコンデンサＣ２の他方の電極と接続される端子ＢＣ２と、端子ＢＣ２との接続点と端子ＶＣＣとの間の電流経路に挿入されたスイッチング素子１４と、を備え、スイッチング素子１４は、端子ＢＣ２の電圧に対する端子ＶＰの電圧に応じてオンオフするよう構成されている。【選択図】  図１
2010283954.tif 000002
【特許請求の範囲】
【請求項１】
第１のコンデンサ及び第２のコンデンサと接続されて用いられる昇圧回路であって、
電源電圧が印加される電源端子と、
前記第１のコンデンサの一方の電極と接続され、前記電源電圧を昇圧した昇圧電圧が出力される第１のコンデンサ接続端子と、
前記電源端子から前記第１のコンデンサ接続端子に至る電流経路に、前記電源端子から前記第１のコンデンサ接続端子へ向かって順方向となるように挿入された第１の整流素子と、
前記第１の整流素子と前記第１のコンデンサ接続端子との間の前記電流経路に、前記第１の整流素子から前記第１のコンデンサ接続端子に向かって順方向となるように挿入された第２の整流素子と、
前記第２のコンデンサの一方の電極と接続され、振動電圧が印加される第２のコンデンサ接続端子と、
前記第１の整流素子と前記第２の整流素子との間の前記電流経路と前記第２のコンデンサの他方の電極とに接続される第３のコンデンサ接続端子と、
前記第３のコンデンサ接続端子との接続点と前記電源端子との間の前記電流経路に挿入されたスイッチング素子と、を備え、
前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧を前記ある電圧以上上回らない場合にオフするよう構成されている、昇圧回路。
【請求項２】
前記スイッチング素子は、電流が出入りする２つの主端子と前記制御端子とを有した電圧駆動型トランジスタであり、
一方の前記主端子は、前記電源端子側の前記電流経路に接続され、
他方の前記主端子は、前記第３のコンデンサ接続端子との接続点側の前記電流経路に接続されている、請求項１に記載の昇圧回路。
【請求項３】
前記スイッチング素子は、ＮチャネルＭＯＳ電界効果トランジスタであり、
前記一方の主端子は、ドレイン端子であり、
前記他方の主端子は、ソース端子であり、
前記制御端子は、ゲート端子である、請求項２に記載の昇圧回路。
【請求項４】
前記スイッチング素子は、エンハンスメント型である、請求項３に記載の昇圧回路。
【請求項５】
前記スイッチング素子は、絶縁ゲートバイポーラトランジスタであり、
前記一方の主端子は、コレクタ端子であり、
前記他方の主端子は、エミッタ端子であり、
前記制御端子は、ゲート端子である、請求項２に記載の昇圧回路。
【請求項６】
前記第２の整流素子と並列に接続された電圧固定回路を有し、
前記電圧固定回路は、前記第３のコンデンサの接続端子の電圧に対する前記第１のコンデンサ接続端子の電圧の電圧差が、所定の電圧を超えないよう、前記第１のコンデンサ接続端子の電圧を固定する、請求項１乃至５のいずれか１項に記載の昇圧回路。
【請求項７】
前記第２の整流素子は、ダイオードであり、
前記電圧固定回路は、ツェナーダイオードであり、
前記電圧固定回路として用いられるツェナーダイオードのアノードは、前記第２の整流素子として用いられるダイオードのアノードと接続され、
前記電圧固定回路として用いられるツェナーダイオードのカソードは、前記第２の整流素子として用いられるダイオードのカソードと接続されている、請求項６に記載の昇圧回路。
【請求項８】
前記第２の整流素子は、ダイオードであり、
前記電圧固定回路は、ダイオードであり、
前記電圧固定回路として用いられるダイオードのアノードは、前記第２の整流素子として用いられるダイオードのカソードと接続され、
前記電圧固定回路として用いられるダイオードのカソードは、前記第２の整流素子として用いられるダイオードのアノードと接続される、請求項６に記載の昇圧回路。
【請求項９】
前記電源端子と前記第３のコンデンサ接続端子との間の電流経路に電流を制限する抵抗素子を有する、請求項１乃至８のいずれか１項に記載の昇圧回路。
【請求項１０】
第１のコンデンサ及び第２のコンデンサと接続されて用いられる昇圧回路であって、
電源電圧が印加される電源端子と、
前記第１のコンデンサの一方の電極と接続され、前記電源電圧を昇圧した昇圧電圧が出力される第１のコンデンサ接続端子と、
前記電源端子から前記第１のコンデンサ接続端子に至る電流経路に、前記電源端子から前記第１のコンデンサ接続端子へ向かって順方向となるように挿入されたダイオードと、
前記ダイオードと前記第１のコンデンサ接続端子との間の前記電流経路に、前記ダイオードから前記第１のコンデンサ接続端子に向かって順方向となるように挿入されたツェナーダイオードと、
前記第２のコンデンサの一方の電極と接続され、振動電圧が印加される第２のコンデンサ接続端子と、
前記ダイオードと前記ツェナーダイオードとの間の前記電流経路と前記第２のコンデンサの他方の電極とに接続される第３のコンデンサ接続端子と、
前記第３のコンデンサ接続端子との接続点と前記電源端子との間の前記電流経路に挿入されたスイッチング素子と、を備え、
前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧を前記ある電圧以上上回らない場合にオフするよう構成され、
前記ツェナーダイオードは、前記第１のコンデンサ接続端子の電圧が前記第３のコンデンサ接続端子の電圧よりも所定の電圧を上回るとき、前記第１のコンデンサ接続端子の電圧を前記所定の電圧に固定する、昇圧回路。  
【請求項１１】
第１のコンデンサと、
第２のコンデンサと、
クロック信号に基づいて電源電圧を昇圧した昇圧電圧を出力する昇圧回路と、
前記昇圧電圧に基づき負荷を制御する負荷制御回路と、
前記クロック信号の発振開始後から所定時間を計数するまでの間、前記負荷制御回路を待機状態に設定するタイマー回路と、を備え、
前記昇圧回路は、
前記電源電圧が印加される電源端子と、
前記第１のコンデンサの一方の電極と接続され、前記電源電圧を昇圧した昇圧電圧が出力される第１のコンデンサ接続端子と、
前記電源端子から前記第１のコンデンサ接続端子に至る電流経路に、前記電源端子から前記第１のコンデンサ接続端子へ向かって順方向となるように挿入された第１の整流素子と、
前記第１の整流素子と前記第１のコンデンサ接続端子との間の前記電流経路に、前記第１の整流素子から前記第１のコンデンサ接続端子に向かって順方向となるように挿入された第２の整流素子と、
前記第２のコンデンサの一方の電極と接続され、前記クロック信号の振動電圧が印加される第２のコンデンサ接続端子と、
前記第１の整流素子と前記第２の整流素子との間の前記電流経路と前記第２のコンデンサの他方の電極とに接続された第３のコンデンサ接続端子と、
前記第３のコンデンサ接続端子との接続点と前記電源端子との間の前記電流経路に挿入されたスイッチング素子と、を備え、
前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧を前記ある電圧以上上回らない場合にオフするよう構成される、昇圧回路装置。
【請求項１２】
第１のコンデンサと、
第２のコンデンサと、
クロック信号に基づいて電源電圧を昇圧した昇圧電圧を出力する昇圧回路と、
前記昇圧電圧に基づき負荷を制御する負荷制御回路と、
前記クロック信号の発振開始後から所定時間を計数するまでの間、前記負荷制御回路を待機状態に設定するタイマー回路と、を備え、
前記昇圧回路は、
前記電源電圧が印加される電源端子と、
前記第１のコンデンサの一方の電極と接続され、前記電源電圧を昇圧した昇圧電圧が出力される第１のコンデンサ接続端子と、
前記電源端子から前記第１のコンデンサ接続端子に至る電流経路に、前記電源端子から前記第１のコンデンサ接続端子へ向かって順方向となるように挿入されたダイオードと、
前記ダイオードと前記第１のコンデンサ接続端子との間の前記電流経路に、前記ダイオードから前記第１のコンデンサ接続端子に向かって順方向となるように挿入されたツェナーダイオードと、
前記第２のコンデンサの一方の電極と接続され、前記クロック信号の振動電圧が印加される第２のコンデンサ接続端子と、
前記ダイオードと前記ツェナーダイオードとの間の前記電流経路と前記第２のコンデンサの他方の電極とに接続された第３のコンデンサ接続端子と、
前記第３のコンデンサ接続端子との接続点と前記電源端子との間の前記電流経路に挿入されたスイッチング素子と、を備え、
前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧を前記ある電圧以上上回らない場合にオフするよう構成され、
前記ツェナーダイオードは、前記第１のコンデンサ接続端子の電圧が前記第３のコンデンサ接続端子の電圧よりも所定の電圧を上回るとき、前記第１のコンデンサ接続端子の電圧を当該所定の電圧に固定する、昇圧回路装置。
【請求項１３】
第１のコンデンサと、
第２のコンデンサと、
振動電圧に基づいて電源電圧を昇圧した昇圧電圧を出力する昇圧回路と、
前記昇圧電圧に基づき負荷を制御する負荷制御回路と、
前記昇圧電圧と所定の基準電圧とを比較し、前記昇圧電圧が前記所定の基準電圧を上回るまでの間、前記負荷制御回路を待機状態に設定する比較回路と、を備え、
前記昇圧回路は、
前記電源電圧が印加される電源端子と、
前記第１のコンデンサの一方の電極と接続され、前記電源電圧を昇圧した昇圧電圧が出力される第１のコンデンサ接続端子と、
前記電源端子から前記第１のコンデンサ接続端子に至る電流経路に、前記電源端子から前記第１のコンデンサ接続端子へ向かって順方向となるように挿入された第１の整流素子と、
前記第１の整流素子と前記第１のコンデンサ接続端子との間の前記電流経路に、前記第１の整流素子から前記第１のコンデンサ接続端子に向かって順方向となるように挿入された第２の整流素子と、
前記第２のコンデンサの一方の電極と接続され、前記振動電圧が印加される第２のコンデンサ接続端子と、
前記第１の整流素子と前記第２の整流素子との間の前記電流経路と前記第２のコンデンサの他方の電極とに接続された第３のコンデンサ接続端子と、
前記第３のコンデンサ接続端子との接続点と前記電源端子との間の前記電流経路に挿入されたスイッチング素子と、を備え、
前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧を前記ある電圧以上上回らない場合にオフするよう構成されている、昇圧回路装置。
【請求項１４】
第１のコンデンサと、
第２のコンデンサと、
振動電圧に基づいて電源電圧を昇圧した昇圧電圧を出力する昇圧回路と、
前記昇圧電圧に基づき負荷を制御する負荷制御回路と、
前記昇圧電圧と所定の基準電圧とを比較し、前記昇圧電圧が前記所定の基準電圧を上回るまでの間、前記負荷制御回路を待機状態に設定する比較回路と、を備え、
前記昇圧回路は、
前記電源電圧が印加される電源端子と、
前記第１のコンデンサの一方の電極と接続され、前記電源電圧を昇圧した昇圧電圧が出力される第１のコンデンサ接続端子と、
前記電源端子から前記第１のコンデンサ接続端子に至る電流経路に、前記電源端子から前記第１のコンデンサ接続端子へ向かって順方向となるように挿入されたダイオードと、
前記ダイオードと前記第１のコンデンサ接続端子との間の前記電流経路に、前記ダイオードから前記第１のコンデンサ接続端子に向かって順方向となるように挿入されたツェナーダイオードと、
前記第２のコンデンサの一方の電極と接続され、前記振動電圧が印加される第２のコンデンサ接続端子と、
前記ダイオードと前記ツェナーダイオードとの間の前記電流経路と前記第２のコンデンサの他方の電極とに接続された第３のコンデンサ接続端子と、
前記第３のコンデンサ接続端子との接続点と前記電源端子との間の前記電流経路に挿入されたスイッチング素子と、を備え、
前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧を前記ある電圧以上上回らない場合にオフするよう構成され、
前記ツェナーダイオードは、前記第１のコンデンサ接続端子の電圧が前記第３のコンデンサ接続端子の電圧よりも所定の電圧を上回るとき、前記第１のコンデンサ接続端子の電圧を当該所定の電圧に固定する、昇圧回路装置。  
【発明の詳細な説明】
【技術分野】
【０００１】
本発明は、昇圧回路及び昇圧回路装置に関する。
【背景技術】
【０００２】
昇圧回路は、電源端子に印加される電源電圧を、当該電源電圧よりも高い昇圧電圧に変換（昇圧）して出力する回路であり、様々な電子機器に組み込まれている。昇圧回路における昇圧方式には、トランスを用いるフライバック式、コンデンサを用いるチャージポンプ方式等がある。尚、チャージポンプ方式の場合、フライバック式よりもトランスを用いなくて済む分、小型化が可能であり、特に、小型及び薄型化が要求される携帯機器向けに普及している。
【０００３】
図１０は、チャージポンプ方式の昇圧回路を用いた従来の昇圧回路装置の構成を示した図である（特許文献１を参照）。図１０に示す昇圧回路装置２は、ダイオードＤＡ、ＤＢを電荷転送用スイッチとして用い、クロック信号に基づき、コンデンサＣＡへの電荷の蓄積と、コンデンサＣＡからコンデンサＣＢに向けた電荷の転送とを、繰り返すことで、電源電圧ＶＣＣの昇圧を行うチャージポンプ方式の昇圧回路６を有する。
【０００４】
昇圧回路６は、半導体集積回路として実施され、電源電圧ＶＣＣを印加する端子Ｔ１（電源端子）、昇圧電圧ＶＧを出力する端子Ｔ２（出力端子）、コンデンサＣＡの両電極を接続する端子ＣＰ１、ＣＰ２（コンデンサ接続端子）等を有する。コンデンサＣＢは、端子Ｔ１と端子Ｔ２との間に接続される。
【０００５】
昇圧回路６は、ダイオードＤＡ、ＤＢと、レベルシフト回路７と、から構成される昇圧部９を有する。ダイオードＤＡ、ＤＢは、端子Ｔ１と端子Ｔ２との間に直列接続される。また、ダイオードＤＢのアノードは端子ＣＰ２に接続され、ダイオードＤＢのカソードは端子Ｔ２に接続される。尚、昇圧部９と、コンデンサＣＡ、ＣＢと、から成る回路は、チャージポンプ回路を構成している。レベルシフト回路７は、外部からクロック信号ＣＬＫ（Ｈレベル：Ｖ０（Ｖ）、Ｌレベル：０（Ｖ））が入力され、クロック信号ＣＬＫをレベルシフトしたクロック信号ＣＬＫ１（Ｈレベル：ＶＲＥＧ（Ｖ）、Ｌレベル：０（Ｖ））を出力する。クロック信号ＣＬＫ１は端子ＣＰ１に入力される。
【０００６】
昇圧回路６は、クロック信号ＣＬＫ１（クロック信号）を用いて、ダイオードＤＡ、ＤＢを相補的にオンオフさせ、且つコンデンサＣＡに電荷を蓄積するとともにコンデンサＣＡに蓄積された電荷をコンデンサＣＢに転送する処理を繰り返すことで昇圧動作を行う。かかる昇圧動作によって、端子Ｔ２電圧は、０（Ｖ）から「ＶＣＣ−２×Ｖｄ＋ＶＲＥＧ（Ｖ）」まで上昇する。つまり、昇圧回路６は、端子Ｔ１に印加された電源電圧ＶＣＣを、「ＶＣＣ−２×Ｖｄ＋ＶＲＥＧ（Ｖ）」の昇圧電圧ＶＧにまで昇圧し、端子Ｔ２より出力する。
【０００７】
ところで、端子ＣＰ２が地絡した場合、端子Ｔ１、ダイオードＤＡ、及び端子ＣＰ２を介した電流経路に地絡電流が流れ、ダイオードＤＡが破壊する虞がある。また、端子Ｔ２が地絡した場合、端子Ｔ１、ダイオードＤＡ、ＤＢ、及び端子Ｔ２を介した電流経路に地絡電流が流れ、ダイオードＤＡ、ＤＢが破壊する虞がある。そこで、昇圧回路６は、端子Ｔ２又は端子ＣＰ２の地絡に伴ってダイオードＤＡ又はダイオードＤＡ及びＤＢに過大な地絡電流が流れて損傷することを防止するための地絡保護機能を備えている。
【０００８】
上記の地絡保護機能は、スイッチＳＷ、スイッチ制御回路８により構成される。スイッチＳＷは、端子Ｔ１とダイオードＤＡのアノードとの間に設けられ、スイッチ制御回路８からのスイッチ制御信号ＣＴＲＬに基づいて導通状態（通常時）又は非導通状態（地絡時）となる。スイッチ制御回路８は、端子Ｔ１に印加される電源電圧ＶＣＣと、端子ＣＰ２の電圧に相当するダイオード電圧ＶＤ１と、端子Ｔ２の電圧に相当する昇圧電圧ＶＧとが入力される。
【０００９】
スイッチ制御回路８は、昇圧電圧ＶＧが所定の閾値電圧を下回るか否かを検出しており、昇圧電圧ＶＧが所定の閾値電圧を下回ったことを検出すると、端子ＣＰ２又は端子Ｔ２が地絡した旨を検知する。そして、スイッチ制御回路８は、スイッチ制御信号ＣＴＲＬを出力してスイッチＳＷを導通状態から非導通状態に切り替える。この結果、上記の地絡電流が流れる電流経路が遮断されるため、ダイオードＤＡ、ＤＢに地絡電流が流れることを防止することができる。
【先行技術文献】
【特許文献】
【００１０】
【特許文献１】特開２００７−３００７６０号公報（特に図２）
【発明の概要】
【発明が解決しようとする課題】
【００１１】
ところで、特許文献１の図５に示されるように、スイッチ制御回路８は、抵抗分圧回路やコンパレータ等で構成された検知部８Ａと、タイマー回路やラッチ回路等で構成されたタイマラッチ回路８Ｂと、を備えている。従って、地絡保護機能を備えるために、上記のような昇圧部以外の回路を必要とするため、昇圧回路の回路規模の増加を招き、昇圧回路装置の小型化や低価格化等を阻害するという課題がある。さらに、少なくとも上記の抵抗分圧回路及びコンパレータは、制御電流を消費する。このため、昇圧回路装置の消費電流の増加を招くという課題もある。
【課題を解決するための手段】
【００１２】
上記課題を解決するために、本発明に係る昇圧回路は、第１のコンデンサ及び第２のコンデンサと接続されて用いられる昇圧回路であって、電源電圧が印加される電源端子と、前記第１のコンデンサの一方の電極と接続され、前記電源電圧を昇圧した昇圧電圧が出力される第１のコンデンサ接続端子と、前記電源端子から前記第１のコンデンサ接続端子に至る電流経路に、前記電源端子から前記第１のコンデンサ接続端子へ向かって順方向となるように挿入された第１の整流素子と、前記第１の整流素子と前記第１のコンデンサ接続端子との間の前記電流経路に、前記第１の整流素子から前記第１のコンデンサ接続端子に向かって順方向となるように挿入された第２の整流素子と、前記第２のコンデンサの一方の電極と接続され、振動電圧が印加される第２のコンデンサ接続端子と、前記第１の整流素子と前記第２の整流素子との間の前記電流経路と前記第２のコンデンサの他方の電極とに接続される第３のコンデンサ接続端子と、前記第３のコンデンサ接続端子との接続点と前記電源端子との間の前記電流経路に挿入されたスイッチング素子と、を備え、前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧をある電圧以上上回らない場合にオフするよう構成されている。ここで、「ある電圧」は、昇圧回路の設計に応じて定まる電圧である。
【００１３】
上記の構成によれば、第１のコンデンサ接続端子が地絡した場合、第１のコンデンサ接続端子の電圧は、初期電圧０（Ｖ）を継続する。この結果、スイッチング素子は、第１のコンデンサ接続端子の電圧が第３のコンデンサ接続端子の電圧をそもそも上回らないのでオンすることができない。また、スイッチング素子のオフに伴って電源端子から第１のコンデンサ接続端子に至る電流経路が遮断されているので、第１の整流素子及び第２の整流素子はオンすることができない。以上により、第１の整流素子及び第２の整流素子は保護される。
【００１４】
また、第３のコンデンサ接続端子が昇圧動作前に地絡した場合、第２の整流素子の高電位側電極には第３のコンデンサ接続端子の初期電圧０（Ｖ）が印加されるため、第２の整流素子はオンすることができない。従って、第２のコンデンサから第２の整流素子を介した第１のコンデンサへの電荷の転送が行われず、第１のコンデンサ接続端子の電圧は昇圧することができずに初期電圧０（Ｖ）を継続する。従って、スイッチング素子は、第１のコンデンサ接続端子の電圧が第３のコンデンサ接続端子の電圧をそもそも上回らないのでオンすることができず、またスイッチング素子のオフに伴って電源端子から第１のコンデンサ接続端子に至る電流経路が遮断されているので、第１の整流素子及び第２の整流素子はオンすることができない。以上により、第１の整流素子及び第２の整流素子は保護される。
【００１５】
さらに、第３のコンデンサ接続端子が昇圧動作中に地絡した場合、第１のコンデンサに電荷が蓄積された状態であるため、第１のコンデンサ接続端子の電圧は時間の経過とともに低下する。そして、スイッチング素子は第３のコンデンサ接続端子の電圧に対する第１のコンデンサ接続端子の電圧に応じてオフする。このため、電源端子から第１の整流素子を介して第３のコンデンサ接続端子に向かう地絡電流の電流経路が遮断される。以上により、第１の整流素子は保護される。
【００１６】
前記スイッチング素子は、電流が出入りする２つの主端子とオンオフを制御する制御端子とを有した電圧駆動型トランジスタであり、一方の前記主端子は、前記電源端子側の前記電流経路に接続され、他方の前記主端子は、前記第３のコンデンサ接続端子との接続点側の前記電流経路に接続され、前記制御端子は、前記第１のコンデンサ接続端子に接続されている、としてもよい。
【００１７】
スイッチング素子として電流駆動型トランジスタを用いる場合、制御端子から他方の主端子に向けて電流が流れるため、通常動作中の昇圧特性（昇圧電圧）の低下が進行することになる。一方、スイッチング素子として電圧駆動型トランジスタを用いる場合、制御端子は絶縁され、制御端子から他方の主端子に向けて電流が流れることがないため、通常動作中の昇圧特性（昇圧電圧）の低下を抑制することができる。
【００１８】
前記スイッチング素子は、ＮチャネルＭＯＳ電界効果トランジスタであり、前記一方の主端子は、ドレイン端子であり、前記他方の主端子は、ソース端子であり、前記制御端子は、ゲート端子である、としてもよい。尚、この場合、前記スイッチング素子は、エンハンスメント型であること、が好ましい。
【００１９】
この構成によれば、スイッチング素子のスイッチングの高速化を実現するとともに、昇圧回路の回路構成を簡易化できる。
【００２０】
前記スイッチング素子は、絶縁ゲートバイポーラトランジスタであり、前記一方の主端子は、コレクタ端子であり、前記他方の主端子は、エミッタ端子であり、前記制御端子は、ゲート端子である、としてもよい。
【００２１】
この構成によれば、スイッチング素子のスイッチングの高速化と消費電流の抑制をバランス良く実現するとともに、昇圧回路の回路構成を簡易化できる。
【００２２】
前記第２の整流素子と並列に接続された電圧固定回路を有し、前記電圧固定回路は、前記第３のコンデンサの接続端子の電圧に対する前記第１のコンデンサ接続端子の電圧の電圧差が、所定の電圧を超えないよう、前記第１のコンデンサ接続端子の電圧を固定する、としてもよい。
【００２３】
この構成によれば、第３のコンデンサ接続端子が昇圧動作中に地絡した場合、第１のコンデンサ接続端子の電圧は、上記の電圧固定回路が作用することで所定の電圧に固定することができる。この結果、電源端子から第３のコンデンサ接続端子に向けて一時的に流れる地絡電流を抑制することができる。
【００２４】
前記第２の整流素子は、ダイオードであり、前記電圧固定回路は、ツェナーダイオードであり、前記電圧固定回路として用いられるツェナーダイオードのアノードは、前記第２の整流素子として用いられるダイオードのアノードと接続され、前記電圧固定回路として用いられるツェナーダイオードのカソードは、前記第２の整流素子として用いられるダイオードのカソードと接続されている、こととしてもよい。
【００２５】
この構成によれば、電圧固定回路の構成を簡易化できる。
【００２６】
前記第２の整流素子は、ダイオードであり、前記電圧固定回路は、ダイオードであり、前記電圧固定回路として用いられるダイオードのアノードは、前記第２の整流素子として用いられるダイオードのカソードと接続され、前記電圧固定回路として用いられるダイオードのカソードは、前記第２の整流素子として用いられるダイオードのアノードと接続されている、こととしてもよい。
【００２７】
この構成によれば、電圧固定回路の構成を簡易化できる。
【００２８】
前記電源端子と前記第３のコンデンサ接続端子との間の電流経路に電流を制限する抵抗素子を有する、こととしてもよい。
【００２９】
この構成によれば、第３のコンデンサ接続端子が昇圧動作中に地絡した場合、電源端子から第３のコンデンサ接続端子に向けて一時的に流れる地絡電流を上記の抵抗素子によって抑制することができる。
【００３０】
上記課題を解決するために、本発明に係るその他の昇圧回路は、第１のコンデンサ及び第２のコンデンサと接続されて用いられる昇圧回路であって、電源電圧が印加される電源端子と、前記第１のコンデンサの一方の電極と接続され、前記電源電圧を昇圧した昇圧電圧が出力される第１のコンデンサ接続端子と、前記電源端子から前記第１のコンデンサ接続端子に至る電流経路に、前記電源端子から前記第１のコンデンサ接続端子へ向かって順方向となるように挿入されたダイオードと、前記ダイオードと前記第１のコンデンサ接続端子との間の前記電流経路に、前記ダイオードから前記第１のコンデンサ接続端子に向かって順方向となるように挿入されたツェナーダイオードと、前記第２のコンデンサの一方の電極と接続され、振動電圧が印加される第２のコンデンサ接続端子と、前記ダイオードと前記ツェナーダイオードとの間の前記電流経路と前記第２のコンデンサの他方の電極とに接続された第３のコンデンサ接続端子と、前記第３のコンデンサ接続端子との接続点と前記電源端子との間の前記電流経路に挿入されたスイッチング素子と、を備え、前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧をある電圧以上上回らない場合にオフするよう構成され、前記ツェナーダイオードは、前記第１のコンデンサ接続端子の電圧が前記第３のコンデンサ接続端子の電圧よりも所定の電圧を上回るとき、前記第１のコンデンサ接続端子の電圧を前記所定の電圧に固定する、昇圧回路。  
【００３１】
この構成によれば、第１のコンデンサ接続端子が地絡した場合、第１のコンデンサ接続端子の電圧は、初期電圧０（Ｖ）を継続する。この結果、スイッチング素子はオンすることができないため、ダイオード及びツェナーダイオードはいずれもオンすることができない。以上により、ダイオード及びツェナーダイオードは保護される。
【００３２】
また、第３のコンデンサ接続端子が昇圧動作前に地絡した場合、ツェナーダイオードの前記順方向における高電位側電極に第３のコンデンサ接続端子の初期電圧０（Ｖ）が印加されるため、ツェナーダイオードはオンすることができない。従って、第２のコンデンサからツェナーダイオードを介した第１のコンデンサへの電荷の転送が行われず、第１のコンデンサ接続端子の電圧は、昇圧することができず、初期電圧０（Ｖ）を継続する。従って、スイッチング素子はオンすることができず、ダイオード、ツェナーダイオードについてもオンすることができない。以上により、ダイオード、ツェナーダイオードは保護される。
【００３３】
さらに、第３のコンデンサ接続端子が昇圧動作中に地絡した場合、第１のコンデンサ接続端子の電圧は、ツェナーダイオードによって所定の電圧に固定することができ、電源端子から第３のコンデンサ接続端子に向けて一時的に流れる地絡電流を抑制することができる。
【００３４】
上記課題を解決するために、本発明に係る昇圧回路装置は、第１のコンデンサと、第２のコンデンサと、クロック信号に基づいて電源電圧を昇圧した昇圧電圧を出力する昇圧回路と、前記昇圧電圧に基づき負荷を制御する負荷制御回路と、前記クロック信号の発振開始後から所定時間を計数するまでの間、前記負荷制御回路を待機状態に設定するタイマー回路と、を備え、前記昇圧回路は、前記電源電圧が印加される電源端子と、前記第１のコンデンサの一方の電極と接続され、前記電源電圧を昇圧した昇圧電圧が出力される第１のコンデンサ接続端子と、前記電源端子から前記第１のコンデンサ接続端子に至る電流経路に、前記電源端子から前記第１のコンデンサ接続端子へ向かって順方向となるように挿入された第１の整流素子と、前記第１の整流素子と前記第１のコンデンサ接続端子との間の前記電流経路に、前記第１の整流素子から前記第１のコンデンサ接続端子に向かって順方向となるように挿入された第２の整流素子と、前記第２のコンデンサの一方の電極と接続され、振動電圧が印加される第２のコンデンサ接続端子と、前記第１の整流素子と前記第２の整流素子との間の前記電流経路と前記第２のコンデンサの他方の電極とに接続された第３のコンデンサ接続端子と、前記第３のコンデンサ接続端子との接続点と前記電源端子との間の前記電流経路に挿入されたスイッチング素子と、を備え、前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧をある電圧以上上回らない場合にオフするよう構成されている、昇圧回路装置。
【００３５】
この構成によれば、上記の昇圧回路における第１の整流素子又は第１の整流素子及び第２の整流素子を保護する効果に加えて、第１のコンデンサ接続端子より出力される昇圧電圧が立上途中であり著しく低い状態のとき、タイマー回路によって計数される所定時間の間、負荷制御回路は待機状態に設定されるため、昇圧立上時における負荷制御回路の誤動作や発熱増加を防止することができる。
【００３６】
上記課題を解決するために、本発明に係るその他の昇圧回路装置は、第１のコンデンサと、第２のコンデンサと、クロック信号に基づいて電源電圧を昇圧した昇圧電圧を出力する昇圧回路と、前記昇圧電圧に基づき負荷を制御する負荷制御回路と、前記クロック信号の発振開始後から所定時間を計数するまでの間、前記負荷制御回路を待機状態に設定するタイマー回路と、を備え、前記昇圧回路は、前記電源電圧が印加される電源端子と、前記第１のコンデンサの一方の電極と接続され、前記電源電圧を昇圧した昇圧電圧が出力される第１のコンデンサ接続端子と、前記電源端子から前記第１のコンデンサ接続端子に至る電流経路に、前記電源端子から前記第１のコンデンサ接続端子へ向かって順方向となるように挿入されたダイオードと、前記ダイオードと前記第１のコンデンサ接続端子との間の前記電流経路に、前記ダイオードから前記第１のコンデンサ接続端子に向かって順方向となるように挿入されたツェナーダイオードと、前記第２のコンデンサの一方の電極と接続され、振動電圧が印加される第２のコンデンサ接続端子と、前記ダイオードと前記ツェナーダイオードとの間の前記電流経路と前記第２のコンデンサの他方の電極とに接続された第３のコンデンサ接続端子と、前記第３のコンデンサ接続端子との接続点と前記電源端子との間の前記電流経路に挿入されたスイッチング素子と、を備え、前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧をある電圧以上上回らない場合にオフするよう構成され、前記ツェナーダイオードは、前記第１のコンデンサ接続端子の電圧が前記第３のコンデンサ接続端子の電圧よりも所定の電圧を上回るとき、前記第１のコンデンサ接続端子の電圧を当該所定の電圧に固定する、昇圧回路装置。
【００３７】
この構成によれば、上記の昇圧回路における第１の整流素子又は第１の整流素子及び第２の整流素子を保護する効果に加えて、第１のコンデンサ接続端子より出力される昇圧電圧が立上途中であり著しく低い状態のとき、タイマー回路によって計数される所定時間の間、負荷制御回路は待機状態に設定されるため、昇圧立上時における負荷制御回路の誤動作や発熱増加を防止することができる。
【００３８】
上記課題を解決するために、本発明に係るさらにその他の昇圧回路装置は、第１のコンデンサと、第２のコンデンサと、振動電圧に基づいて電源電圧を昇圧した昇圧電圧を出力する昇圧回路と、前記昇圧電圧に基づき負荷を制御する負荷制御回路と、前記昇圧電圧と所定の基準電圧とを比較し、前記昇圧電圧が前記所定の基準電圧を上回るまでの間、前記負荷制御回路を待機状態に設定する比較回路と、を備え、前記昇圧回路は、前記電源電圧が印加される電源端子と、前記第１のコンデンサの一方の電極と接続され、前記電源電圧を昇圧した昇圧電圧が出力される第１のコンデンサ接続端子と、前記電源端子から前記第１のコンデンサ接続端子に至る電流経路に、前記電源端子から前記第１のコンデンサ接続端子へ向かって順方向となるように挿入された第１の整流素子と、前記第１の整流素子と前記第１のコンデンサ接続端子との間の前記電流経路に、前記第１の整流素子から前記第１のコンデンサ接続端子に向かって順方向となるように挿入された第２の整流素子と、前記第２のコンデンサの一方の電極と接続され、前記振動電圧が印加される第２のコンデンサ接続端子と、前記第１の整流素子と前記第２の整流素子との間の前記電流経路と前記第２のコンデンサの他方の電極とに接続された第３のコンデンサ接続端子と、前記第３のコンデンサ接続端子との接続点と前記電源端子との間の前記電流経路に挿入されたスイッチング素子と、を備え、前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧をある電圧以上上回らない場合にオフするよう構成される、昇圧回路装置。
【００３９】
この構成によれば、上記の昇圧回路における第１の整流素子又は第１の整流素子及び第２の整流素子を保護する効果に加えて、第１のコンデンサ接続端子より出力される昇圧電圧が立上途中であり著しく低い状態のとき、比較回路において昇圧電圧が所定の基準電圧が上回るまでの間、負荷制御回路は待機状態に設定されるため、昇圧立上時における負荷制御回路の誤動作や発熱増加を防止することができる。
【００４０】
上記課題を解決するために、本発明に係るさらにその他の昇圧回路装置は、第１のコンデンサと、第２のコンデンサと、振動電圧に基づいて電源電圧を昇圧した昇圧電圧を出力する昇圧回路と、前記昇圧電圧に基づき負荷を制御する負荷制御回路と、前記昇圧電圧と所定の基準電圧とを比較し、前記昇圧電圧が前記所定の基準電圧を上回るまでの間、前記負荷制御回路を待機状態に設定する比較回路と、を備え、前記昇圧回路は、前記電源電圧が印加される電源端子と、前記第１のコンデンサの一方の電極と接続され、前記電源電圧を昇圧した昇圧電圧が出力される第１のコンデンサ接続端子と、前記電源端子から前記第１のコンデンサ接続端子に至る電流経路に、前記電源端子から前記第１のコンデンサ接続端子へ向かって順方向となるように挿入されたダイオードと、前記ダイオードと前記第１のコンデンサ接続端子との間の前記電流経路に、前記ダイオードから前記第１のコンデンサ接続端子に向かって順方向となるように挿入されたツェナーダイオードと、前記第２のコンデンサの一方の電極と接続され、前記振動電圧が印加される第２のコンデンサ接続端子と、前記ダイオードと前記ツェナーダイオードとの間の前記電流経路と前記第２のコンデンサの他方の電極とに接続された第３のコンデンサ接続端子と、前記第３のコンデンサ接続端子との接続点と前記電源端子との間の前記電流経路に挿入されたスイッチング素子と、を備え、前記スイッチング素子のオンオフを制御する制御端子が前記第１のコンデンサ接続端子に接続されており、且つ前記スイッチング素子は、前記第１のコンデンサ接続端子の電圧が前記第３のコンデンサ接続端子の電圧をある電圧以上上回る場合にオンし、前記第１のコンデンサ接続端子の電圧が前記第３のコンデンサ接続端子の電圧をある電圧以上上回らない場合にオフするよう構成され、前記ツェナーダイオードは、前記第１のコンデンサ接続端子の電圧が前記第３のコンデンサ接続端子の電圧よりも所定の電圧を上回るとき、前記第１のコンデンサ接続端子の電圧を当該所定の電圧に固定する、昇圧回路装置。  
【００４１】
この構成によれば、上記の昇圧回路における第１の整流素子又は第１の整流素子及び第２の整流素子を保護する効果に加えて、第１のコンデンサ接続端子より出力される昇圧電圧が立上途中であり著しく低い状態のとき、比較回路において昇圧電圧が所定の基準電圧が上回るまでの間、負荷制御回路は待機状態に設定されるため、昇圧立上時における負荷制御回路の誤動作や発熱増加を防止することができる。
【発明の効果】
【００４２】
本発明は、２つの整流素子を電荷転送用スイッチとして用いて２つのコンデンサによる電荷の蓄積・転送を繰り返すことで昇圧を行うチャージポンプ方式の昇圧回路において、２つのコンデンサを接続するコンデンサ接続端子が地絡した場合の２つの整流素子の破壊を防止するための地絡保護機能を簡易な回路構成で実現することができる。
【図面の簡単な説明】
【００４３】
【図１】図１は本発明の実施の形態１における昇圧回路を有した昇圧回路装置の構成を示した図である。
【図２】図２は本発明の実施の形態１における昇圧回路の昇圧立上時の動作を説明するタイムチャートである。
【図３】図３は本発明の実施の形態１における昇圧回路の端子ＢＣ２地絡時の動作を説明するタイムチャートである。
【図４】図４は本発明の実施の形態２における昇圧回路を有した昇圧回路装置の構成を示した図である。
【図５】図５は本発明の実施の形態２における昇圧回路の端子ＢＣ２地絡時の動作を説明するタイムチャートである。
【図６】図６は本発明の実施の形態３における昇圧回路を有した昇圧回路装置の構成を示した図である。
【図７】図７は本発明の実施の形態３における昇圧回路の昇圧立上時の動作を説明するタイムチャートである。
【図８】図８は本発明の実施の形態４における昇圧回路を有した昇圧回路装置の構成を示した図である。
【図９】図９は本発明の実施の形態４における昇圧回路の昇圧立上時の動作を説明するタイムチャートである。
【図１０】図１０は従来の昇圧回路を有した昇圧回路装置の構成を示した図である。
【発明を実施するための形態】
【００４４】
以下、本発明の実施の形態を、図面を参照しながら説明する。
（実施の形態１）
［昇圧回路装置の構成］
図１は、本発明の実施の形態１における昇圧回路を有した昇圧回路装置の構成を示した図である。
【００４５】
図１に示す昇圧回路装置１００は、電源Ｖ１と、電源Ｖ２と、コンデンサＣ１（第１のコンデンサ）と、コンデンサＣ２（第２のコンデンサ）と、昇圧回路１０と、負荷制御回路５０と、を有して構成される。
【００４６】
昇圧回路１０は、整流素子１１及び整流素子１２（電荷転送用スイッチ）を用いて、コンデンサＣ２への電荷の蓄積と、コンデンサＣ２からコンデンサＣ１に向けた電荷の転送とを、クロック信号（振動電圧）を用いて繰り返すことで、電源Ｖ１の電源電圧ＶＣＣの昇圧を行うチャージポンプ方式を採用している。
【００４７】
昇圧回路装置１００は、昇圧回路１０によって上記のとおり電源電圧ＶＣＣをクロック信号ＣＬＫを用いて昇圧し、負荷制御回路５０によって昇圧後の端子ＶＧの電圧（昇圧電圧）に基づいて負荷８０の駆動を制御する。尚、昇圧回路装置１００は、図１０に示した昇圧回路装置２と同様に、電源Ｖ１を共有化して電源Ｖ２を省略し、コンデンサＣ１の他方の電極を電源Ｖ１と接続する構成であってもよい。
【００４８】
以下、昇圧回路１０の構成を詳細に説明する。
昇圧回路１０は、アナログＩＣ等の半導体集積回路として実施される（形成される）。昇圧回路１０は、電源Ｖ１と接続され電源Ｖ１の電圧ＶＣＣ（電源電圧）を印加する端子ＶＣＣ（電源端子）、コンデンサＣ２の一方の電極と接続されクロック信号ＣＬＫが入力される端子ＢＣ１（第２のコンデンサ接続端子）、コンデンサＣ２の他方の電極と接続される端子ＢＣ２（第３のコンデンサ接続端子）、コンデンサＣ１の一方の電極と接続され、電源電圧ＶＣＣを昇圧した昇圧電圧ＶＧを出力する端子ＶＰ（第１のコンデンサ接続端子）、及び昇圧電力ＶＧを出力する端子ＶＧを有する。尚、端子ＶＧは、図１０に示した昇圧回路装置２と同様に、端子ＶＰと共用化してもよい。この場合、負荷制御回路５０は、端子ＶＰと接続される。
【００４９】
昇圧回路１０は、さらに、整流素子１１（第１の整流素子）と、整流素子１２（第２の整流素子）と、発振回路１３と、スイッチング素子１４と、を有する。なお、以下では、整流素子１１及び整流素子１２に順方向電流を流す場合にそれぞれ高電位側の電極及び低電位側の電極となる当該整流素子１１及び整流素子１２の一対の電極を、それぞれ、「高電位側電極」及び「低電位側電極」と呼ぶ。
【００５０】
整流素子１１は、所定の閾値電圧Ｖｄを上回る順方向バイアスが印加されたとき順方向電流を流す特性を有した素子である。整流素子１１は、端子ＶＣＣと端子ＢＣ２との間の電流経路（配線１１０、整流素子１１、１２間の配線１１０に配置したノード１５、配線１５０）に、高電位側電極Ｐ４が端子ＶＣＣ側となるとともに低電位側電極Ｐ５が端子ＢＣ２側となるように配置されている。つまり、整流素子１１は、端子ＶＣＣから端子ＢＣ２に向かって順方向に配置されている。整流素子１１として、本実施の形態では、ダイオード整流型のスイッチング素子であるダイオードＤ１が採用される。この場合、閾値電圧ＶｄはダイオードＤ１の順方向降下電圧である。尚、整流素子１１として、例えば同期整流型のスイッチング素子が採用されてもよい。
【００５１】
整流素子１２は、所定の閾値電圧Ｖｄを上回る順方向バイアスが印加されたとき順方向電流を流す特性を有した素子である。整流素子１２は、端子ＢＣ２と端子ＶＰとの間の電流経路（配線１５０、ノード１５、ノード１６、配線１６０）に配置され、順方向における高電位側電極Ｐ６が端子ＢＣ２側となるとともに順方向における低電位側電極Ｐ７が端子ＶＰ側となるように配置している。さらに、整流素子１２は、整流素子１１と直列接続される。つまり、整流素子１２は、整流素子１１から端子ＶＰに向かって順方向に配置されている。また、本実施の形態では、整流素子１２は、配線１８０を介して端子ＶＧと接続される。整流素子１２として、整流素子１１と同様に、ダイオード整流型のスイッチング素子であるダイオードＤ２が採用される。この場合、整流素子１２の閾値電圧ＶｄはダイオードＤ２の順方向降下電圧である。尚、整流素子１２として、例えば同期整流型のスイッチング素子が採用されてもよい。
【００５２】
スイッチング素子１４は、端子ＶＰの電圧が印加され、端子ＶＰの電圧と端子ＢＣ２の電圧とに基づいてオンオフするよう構成される。具体的には、スイッチング素子１４は、端子ＶＣＣと整流素子１１の高電位側電極Ｐ４との間の電流経路（配線１１０）間に配置される。尚、スイッチング素子１４は、整流素子１１の低電位側電極Ｐ５と端子ＢＣ２及び整流素子１２の高電位側電極Ｐ６との間の電流経路（配線１１０、ノード１５）間に配置されてもよい。つまり、図１に示すスイッチング素子１４と整流素子１１の各配置を入れ替えてもよい。
【００５３】
スイッチング素子１４は、本実施の形態では、電流が出入りする２つの主端子Ｐ１、Ｐ２とオンオフを制御する制御端子Ｐ３とを有した電圧駆動型トランジスタを用いる。例えば、スイッチング素子１４としてバイポーラトランジスタ等の電流駆動型トランジスタを用いる場合、制御端子Ｐ３から他方の主端子Ｐ２に向けて電流が流れるため、通常動作中の昇圧特性（昇圧電圧）の低下が進行する。一方、スイッチング素子１４として電圧駆動型トランジスタを用いる場合、制御端子は絶縁され、制御端子Ｐ３から他方の主端子Ｐ２に向けて電流が流れることがないため、通常動作中の昇圧特性（昇圧電圧）の低下を抑制することができる。
【００５４】
スイッチング素子１４における２つの主端子Ｐ１、Ｐ２のうち一方の主端子Ｐ１は端子ＶＣＣ側の電流経路（配線１１０）に接続され、他方の主端子Ｐ２は端子ＢＣ２側の電流経路（配線１１０、ノード１５、配線１５０）に接続される。また、スイッチング素子１４の制御端子Ｐ３は整流素子１２と端子ＶＰとの間の電流経路（配線１８０間に配置したノード１６、配線１６０）に配置されたノード１７と配線１７０を介して接続される。尚、主端子Ｐ１、Ｐ２、及び制御端子Ｐ３に静電気破壊防止用の小抵抗を接続してもよい。
【００５５】
スイッチング素子１４は、電圧駆動型トランジスタとして、例えば、ＮチャネルＭＯＳ型電界効果トランジスタを用いてもよい。この場合、一方の主端子Ｐ１はドレイン端子であり、他方の主端子はソース端子Ｐ２であり、制御端子Ｐ３はゲート端子である。また、この場合、スイッチング素子１４の閾値電圧Ｖｔｈｍは、ゲート−ソース間の閾値電圧である。
【００５６】
また、スイッチング素子１４は、電圧駆動型トランジスタとして、絶縁ゲートバイポーラトランジスタ（ＩＧＢＴ）を用いてもよい。この場合、一方の主端子Ｐ１はコレクタ端子であり、他方の主端子Ｐ２はエミッタ端子であり、制御端子Ｐ３はゲート端子である。また、この場合、スイッチング素子１４の閾値電圧Ｖｔｈｍは、ゲート−エミッタ間の閾値電圧である。
【００５７】
発振回路１３は、端子ＶＣＣに電源電圧ＶＣＣが印加されて所定時間経過した後に発振動作を開始し、それに伴ってクロック信号ＣＬＫ（Ｈレベル：ＶＢＣ１（Ｖ）、Ｌレベル：０（Ｖ））を生成する。クロック信号ＣＬＫの周波数は例えば、数百ｋＨｚである。クロック信号ＣＬＫの電圧（振動電圧）は端子ＢＣ１を介してコンデンサＣ２の一方の電極に印加される。なお、本実施の形態では、端子ＢＣ１に印加される振動電圧として、矩形波のクロック信号ＣＬＫが用いられているが、これには限定されない。振動電圧は、電源電圧ＶＣＣより低い最小電圧値を有するように振動する電圧であればよい。但し、好適に昇圧するにためは、高速に振動することが好ましく、かつ矩形波であることがより好ましい。
【００５８】
［昇圧回路の昇圧立上動作］
図２は、図１に示した昇圧回路１０の昇圧立上動作を説明するタイムチャートである。
【００５９】
電源電圧ＶＣＣが端子ＶＣＣに印加される前の時刻ｔ０では、端子ＶＣＣ、端子ＶＰ、端子ＢＣ１、及び端子ＢＣ２の各初期電圧は全て０（Ｖ）である。
【００６０】
時刻ｔ１では、電源電圧ＶＣＣが端子ＶＣＣに印加され、端子ＶＣＣの電圧が初期電圧０（Ｖ）から電源電圧ＶＣＣ（Ｖ）にまで上昇する。一方、端子ＶＰの電圧は、初期電圧０（Ｖ）に維持される。このため、スイッチング素子１４の制御端子Ｐ３には、配線１６０のノード１７から配線１７０を介して初期電圧０（Ｖ）が印加されるため、スイッチング素子１４はオンすることができない。従って、端子ＶＣＣから端子ＢＣ２及び端子ＶＰに電流を供給する電流経路が遮断され、端子ＢＣ２及び端子ＶＰの各電圧は、初期電圧０（Ｖ）に維持される。また、発振回路１３の発振動作が開始しておらず、端子ＢＣ１の電圧は、初期電圧０（Ｖ）に維持される。
【００６１】
時刻ｔ２では、発振回路１３の発振動作が開始し、発振回路１３から端子ＢＣ１に向けてクロック信号ＣＬＫの入力が開始される。端子ＢＣ１の電圧は、クロック信号ＣＬＫの１／２周期毎に、ＶＢＣ１（Ｖ）、０（Ｖ）を順に繰り返す波形となる。
【００６２】
端子ＢＣ１の電圧が０（Ｖ）からＶＢＣ１（Ｖ）に切り替わる場合、端子ＢＣ２の電圧は、端子ＢＣ１の電圧上昇に応じて持ち上がる。これに伴い、整流素子１２は、閾値電圧Ｖｄを上回る順方向バイアスが印加されてオンする。すると、ＶＢＣ１（Ｖ）の印加期間に応じてコンデンサＣ２に蓄積された電荷が、端子ＢＣ２、配線１５０、整流素子１２、配線１６０、及び端子ＶＰを介して、コンデンサＣ１の一方の電極に転送される。そして、この電荷の転送による端子ＶＰ（コンデンサＣ１の一方の電極）の電圧上昇と端子ＢＣ２の電圧低下とが平衡するまで端子ＶＰの電圧が上昇する。かくして、コンデンサＣ１がコンデンサＣ２から転送された電荷を蓄積する毎に、端子ＶＰの電圧は段階的に上昇する。
【００６３】
端子ＢＣ１の電圧がＶＢＣ１（Ｖ）から０（Ｖ）に切り替わる場合、端子ＢＣ２の電圧は端子ＢＣ１の電圧低下に伴って低下する。一方、端子ＶＰの電圧は、コンデンサＣ１の電荷の蓄積に伴って、スイッチング素子１４の閾値電圧Ｖｔｈｍと整流素子１１の閾値電圧Ｖｄとの和である電圧（Ｖｔｈｍ＋Ｖｄ）を上回る。従って、スイッチング素子１４及び整流素子１１はともにオンすることができる。すると、端子ＶＣＣに印加された電源電圧ＶＣＣが、スイッチング素子１４、整流素子１１、配線１５０、及び端子ＢＣ２を介して、コンデンサＣ２に印加される。そして、コンデンサＣ２に電荷が蓄積される。
【００６４】
発振回路１３の発振動作の開始に伴って以上の動作を繰り返すことで、端子ＢＣ２及び端子ＶＰの各電圧が上昇する。
【００６５】
時刻ｔ３以降の端子ＶＰの電圧は、所望の昇圧電圧ＶＧまで上昇する。尚、昇圧電圧ＶＧは、端子ＶＣＣに印加された電源電圧ＶＣＣと、端子ＢＣ１に印加されたクロック信号ＣＬＫのＨレベルの電圧ＶＢＣ１（Ｖ）と、の和より、整流素子１１、１２の各閾値電圧Ｖｄによる電圧降下分２×Ｖｄを考慮した「ＶＣＣ＋ＶＢＣ１−２×Ｖｄ（Ｖ）」となる。このとき、スイッチング素子１４の制御端子Ｐ３に印加される電圧は、電源電圧ＶＣＣよりも高く昇圧された電圧となっており、スイッチング素子１４のオン抵抗を十分に低く設定することができる。従って、昇圧回路１０は、スイッチング素子１４を設けない場合と同程度の昇圧特性を維持することができる。
【００６６】
時刻ｔ３以降の端子ＢＣ２の電圧は、端子ＢＣ１の電圧が０（Ｖ）の場合、スイッチング素子１４及び整流素子１１はオンするとともに整流素子１２はオフするため、端子ＶＣＣに印加された電源電圧ＶＣＣから整流素子１１の閾値電圧Ｖｄによる電圧降下分Ｖｄを考慮した「ＶＣＣ−Ｖｄ（Ｖ）」となる。一方、端子ＢＣ１電圧がＶＢＣ１（Ｖ）の場合、スイッチング素子１４及び整流素子１１はオフするとともに整流素子１２はオンするため、端子ＶＰの定常状態のときの電圧「ＶＣＣ＋ＶＢＣ１−２×Ｖｄ（Ｖ）」と整流素子１２の閾値電圧Ｖｄとの和「ＶＣＣ＋ＶＢＣ１−Ｖｄ（Ｖ）」となる。以上のとおり、端子ＶＰの電圧が上昇したことに伴って、スイッチング素子１４が単純にオンを継続するものではなく、スイッチング素子１４のオンオフは、その制御端子Ｐ３に印加される端子ＶＰの電圧と、整流素子１１、１２の間の電流経路上のノード１５と接続される端子ＢＣ２の電圧と、の関係で定められる。具体的には、端子ＢＣ２の電圧に対する端子ＶＰの電圧が、スイッチング素子１４の閾値電圧Ｖｔｈｍと整流素子１１の閾値電圧Ｖｄとの和「Ｖｔｈｍ＋Ｖｄ」よりも大きい場合、スイッチング素子１４及び整流素子１１はオンする。一方、端子ＢＣ２の電圧に対する端子ＶＰの電圧が、スイッチング素子１４の閾値電圧Ｖｔｈｍと整流素子１１の閾値電圧Ｖｄとの和「Ｖｔｈｍ＋Ｖｄ」よりも小さい場合には、スイッチング素子１４及び整流素子１１はオフする。
【００６７】
以上のように、昇圧回路１０は、クロック信号ＣＬＫを用いて、電荷転送スイッチである整流素子１１、１２を相補的にオンオフさせるとともに、コンデンサＣ２に蓄積される電荷をコンデンサＣ１に転送することを繰り返すことで昇圧動作を行う。かかる昇圧動作によって、端子ＶＰ及び端子ＶＧの各定常状態における電圧は「ＶＣＣ＋ＶＢＣ１−２×Ｖｄ（Ｖ）」となる。
【００６８】
［端子ＶＰ地絡時の保護動作］
本実施の形態１における昇圧回路１０の端子ＶＰが地絡した時の保護動作を説明する。
【００６９】
端子ＶＰが地絡した場合、端子ＶＰの電圧が０（Ｖ）まで低下したものとする。ここで、端子ＶＣＣからスイッチング素子１４、整流素子１１、及び整流素子１２を介して端子ＶＰに向けて地絡電流が流れる条件としては、スイッチング素子１４の制御端子Ｐ３に対し「Ｖｔｈｍ＋２×Ｖｄ（Ｖ）」以上の電圧が印加される必要がある。
【００７０】
しかし、スイッチング素子１４の制御端子Ｐ３には配線１６０のノード１７から配線１７０を介して端子ＶＰの電圧（０（Ｖ））が印加されているため、スイッチング素子１４、整流素子１１、及び整流素子１２はオンすることができない。
【００７１】
以上より、端子ＶＰが地絡した場合、端子ＶＣＣから端子ＶＰに向かって地絡電流が流れることがないため、整流素子１１及び整流素子１２の破壊を防止することができる。尚、かかる地絡保護機能は、昇圧動作前（端子ＶＣＣに電源Ｖ１の電圧ＶＣＣが印加される前）に端子ＶＰが既に地絡している場合と昇圧動作中（端子ＶＣＣに電源Ｖ１の電圧ＶＣＣが印加された後）に端子ＶＰが地絡した場合の双方で発揮される。
【００７２】
［端子ＢＣ２地絡時（昇圧動作前）の保護動作］
本実施の形態１における昇圧回路１０の端子ＢＣ２が地絡した時（昇圧動作前）の保護動作を説明する。
【００７３】
昇圧動作前、端子ＶＣＣ、端子ＶＰ、端子ＢＣ１、及び端子ＢＣ２は、全て初期電圧０（Ｖ）である。ここで、端子ＢＣ２が地絡している場合、端子ＢＣ２の電圧は初期電圧０（Ｖ）を継続する。それ故、整流素子１２は、高電位側電極Ｐ６に端子ＢＣ２の電圧（０（Ｖ））が印加されるため、逆方向バイアスがかかり、オンすることができない。このため、端子ＶＣＣから端子ＶＰに向かう地絡電流の電流経路及び端子ＢＣ２から端子ＶＰに向かう地絡電流の電流経路のいずれもが遮断され、端子ＶＰの電圧は初期電圧０（Ｖ）から上昇することができない。
【００７４】
一方、スイッチング素子１４及び整流素子１１がオンする条件としては、スイッチング素子１４の制御端子Ｐ３に対し「Ｖｔｈｍ＋Ｖｄ（Ｖ）」以上の電圧が印加される必要がある。しかし、スイッチング素子１４の制御端子Ｐ３には配線１６０のノード１７から配線１７０を介して端子ＶＰの電圧（０（Ｖ））が印加されているため、スイッチング素子１４及び整流素子１１はオンすることができない。このため、端子ＶＣＣから端子ＢＣ２に向かう地絡電流の電流経路が遮断される。
【００７５】
以上より、昇圧動作前に端子ＢＣ２が既に地絡している場合、スイッチング素子１４、整流素子１１、及び整流素子１２は全てオンすることができない。このため、整流素子１１及び整流素子１２の破壊を防止することができる。尚、昇圧動作前に端子ＶＰの電圧の初期電圧が０（Ｖ）より高い場合、次に説明する昇圧動作中の端子ＢＣ２の地絡時の保護動作と同じ動作となるため、ここでは説明を省略する。
【００７６】
［端子ＢＣ２地絡時（昇圧動作中）の保護動作］
図３に示すタイムチャートを用いて、本実施の形態１における昇圧回路１０の端子ＢＣ２が地絡した時（昇圧動作中）の保護動作を説明する。
【００７７】
時刻ｔ０前に、昇圧動作が定常状態となっており、端子ＶＰの電圧は、図２に示したように、「ＶＣＣ＋ＶＢＣ１−２×Ｖｄ（Ｖ）」で安定しているものとする。また、発振回路１３から端子ＢＣ１に向けてクロック信号ＣＬＫの入力が継続しているため、端子ＢＣ１の電圧は、クロック信号ＣＬＫの１／２周期毎に、ＶＢＣ１（Ｖ）、０（Ｖ）を順に繰り返す波形となっている。さらに、端子ＢＣ２の電圧は、クロック信号ＣＬＫに基づいて、「ＶＣＣ−Ｖｄ（Ｖ）」と「ＶＣＣ＋ＶＢＣ１−Ｖｄ（Ｖ）」とを繰り返す波形となっている。
【００７８】
時刻ｔ１では、端子ＢＣ２の電圧が地絡により０（Ｖ）まで低下する。この場合、スイッチング素子１４及び整流素子１１がオンする条件としては、スイッチング素子１４の制御端子Ｐ３に対し「Ｖｔｈｍ＋Ｖｄ（Ｖ）」以上の電圧が印加される必要がある。端子ＢＣ２が地絡した直後、コンデンサＣ１には蓄積された電荷が存在するので、端子ＶＰの電圧は「ＶＣＣ＋ＶＢＣ１−２×Ｖｄ（Ｖ）」で安定している。このため、スイッチング素子１４及び整流素子１１は直ちにオフすることができない。従って、端子ＶＣＣから端子ＢＣ２に向かう地絡電流の電流経路が遮断されず、整流素子１１に地絡電流が流れてしまう。
【００７９】
しかし、端子ＶＰは、配線１６０、配線１８０、及び端子ＶＧを介して負荷制御回路５０と接続されている。このため、負荷制御回路５０の電流消費によってコンデンサＣ１に蓄積された電荷は放電され、端子ＶＰの電圧は時間の経過とともに低下する。
【００８０】
時刻ｔ２では、端子ＶＰの電圧は、スイッチング素子１４及び整流素子１１をオンする条件である「Ｖｔｈｍ＋Ｖｄ（Ｖ）」まで低下する。このとき、スイッチング素子１４及び整流素子１１はオンからオフに切り替わり、端子ＶＣＣから端子ＢＣ２に向かう地絡電流の電流経路が遮断される。かかる動作は地絡電流の継続した発生を抑制するためのタイマー回路の機能を実現しており、特許文献１に開示されたような専用のタイマー回路を設ける必要がなくなる。
【００８１】
ところで、時刻ｔ１から時刻ｔ２までの間で瞬間的に地絡電流が流れるため、スイッチング素子１４、整流素子１１には一時的に負担がかかる。しかし、スイッチング素子１４の電流能力、負荷制御回路５０の消費電流、コンデンサＣ１の容量を調整することによって、整流素子１１の破壊を防止できる。
【００８２】
以上、本実施の形態１における昇圧回路１０を有した昇圧回路装置１００によれば、図１０に示したように、地絡保護のためのスイッチング制御回路８を備える必要がなくなる。この結果、昇圧回路１０の制御の簡易化及び回路規模の増大の抑制が可能となり、昇圧回路装置１００の低価格化や小型化が可能となる。  
【００８３】
（実施の形態２）
図４は、本発明の実施の形態２における昇圧回路を有した昇圧回路装置の構成を示した図である。本発明の実施の形態２では、昇圧動作中に端子ＢＣ２が地絡した場合、本発明の実施の形態１の昇圧回路１０において一時的に発生した地絡電流を抑制できる効果を奏する。
【００８４】
図４に示す昇圧回路２０は、図１に示した昇圧回路１０の構成に加えて、抵抗素子Ｒ１と、電圧固定回路１８と、を追加している。それ以外の構成は昇圧回路１０と同じであるため説明を省略する。
【００８５】
抵抗素子Ｒ１は、地絡電流の最大電流を抑制するための抵抗素子である。抵抗素子Ｒ１は、端子ＶＣＣと端子ＢＣ２との間の電流経路（配線１１０、１５０）に配置される。図４には、抵抗素子Ｒ１を端子ＶＣＣとスイッチング素子１４の一方の主端子Ｐ１との間に配置した場合を示しているが、スイッチング素子１４の他方の主端子Ｐ２と整流素子１１の高電位側電極Ｐ４との間や、整流素子１１の低電位側電極Ｐ５とノード１５との間等に配置してもよい。
【００８６】
電圧固定回路１８は、端子ＢＣ２から端子ＶＰに向かう電流経路間に、整流素子１２と並列に接続される。電圧固定回路１８は、端子ＶＰの電圧が端子ＢＣ２の電圧よりも所定の閾値電圧ＶＺ以上高くなるとき、端子ＶＰの電圧を所定の閾値電圧ＶＺに固定する。
【００８７】
尚、電圧固定回路１８は、所定の閾値電圧ＶＺをツェナー電位としたツェナーダイオードＺＤで構成できる。この場合、ツェナーダイオードＺＤの高電位側電極Ｐ８は、整流素子１２の高電位側電極Ｐ６と接続され、また、ツェナーダイオードＺＤの低電位側電極Ｐ９は、整流素子１２の低電位側電極Ｐ７と接続される。また、電圧固定回路１８は、複数のツェナーダイオードＺＤを直列に接続して構成してもよい。
【００８８】
また、電圧固定回路１８は、所定の閾値電圧ＶＺを順電圧としたダイオードで構成してもよい。この場合、ダイオードの高電位側電極Ｐ８は、整流素子１２の低電位側電極Ｐ７と接続され、ダイオードの低電位側電極Ｐ９は、整流素子１２の高電位側電極Ｐ６と接続される。
【００８９】
図５に示すタイムチャートを用いて、本実施の形態２における昇圧回路２０の端子ＢＣ２が地絡した時（昇圧動作中）の保護動作を説明する。
【００９０】
時刻ｔ０から時刻ｔ１までの間は、図３に示すタイムチャートの場合と同じ動作となるため説明を省略する。
【００９１】
時刻ｔ１では、端子ＢＣ２が地絡し、端子ＢＣ２の電圧が０（Ｖ）まで低下する。端子ＢＣ２が地絡した直後、コンデンサＣ１には蓄積された電荷が存在するため、端子ＶＰの電圧は「ＶＣＣ＋ＶＢＣ１−２×Ｖｄ（Ｖ）」で安定しており、スイッチング素子１４及び整流素子１１は直ちにオフすることができない。
【００９２】
従って、端子ＶＰの電圧が端子ＢＣ２よりも電圧固定回路１８の所定の閾値電圧ＶＺ以上高いため、電圧固定回路１８が動作する。そして、端子ＶＰの電圧は、電圧固定回路１８の動作に伴い、「ＶＣＣ＋ＶＢＣ１−２×Ｖｄ（Ｖ）」から所定の閾値電圧ＶＺまで低下して一旦固定される。このとき、端子ＶＣＣから端子ＢＣ２に至る電流経路に地絡電流が流れることになるが、抵抗素子Ｒ１によって地絡電流の最大電流が抑えられる。
【００９３】
時刻ｔ１以降では、負荷制御回路５０の電流消費によってコンデンサＣ１に蓄積された電荷は放電され、端子ＶＰの電圧は所定の閾値電圧ＶＺから時間の経過とともに低下する。
【００９４】
時刻ｔ２では、端子ＶＰの電圧が所定の閾値電圧ＶＺから「Ｖｔｈｍ＋Ｖｄ（Ｖ）」まで低下するため、スイッチング素子１４、整流素子１１がオフする。この結果、端子ＶＣＣから端子ＢＣ２に向かう地絡電流の電流経路が遮断される。
【００９５】
以上のように、端子ＢＣ２の地絡時に、端子ＶＰの電圧は、電圧固定回路１８の動作によって所定の閾値電圧ＶＺまで低下させることが可能である。この結果、地絡電流が発生する期間を短縮することができる。また、抵抗素子Ｒ１によって、地絡電流の最大電流を抑制することもできる。尚、電圧固定回路１８と抵抗素子Ｒ１は、必要性に応じていずれか一方のみを設けてもよい。
【００９６】
尚、電圧固定回路１８をツェナーダイオードＺＤで構成した場合、端子ＶＰと端子ＢＣ２との間の電流経路で双方向に電流を流すことが可能となる。このため、整流素子１２を省略しても、電圧固定回路１８は、電圧固定動作と整流動作の両方を行うことができる。但し、端子ＶＰの電圧の昇圧レベルが変化する可能性があるが、クロック信号ＣＬＫの振幅設定によって調整できる。
【００９７】
以上、本実施の形態２における昇圧回路２０を有した昇圧回路装置２００によれば、昇圧回路２０の回路規模の抑制と、端子ＢＣ２地絡時の地絡電流の抑制と、地絡保護機能を設けない場合の昇圧特性の維持と、をバランス良く実現することが可能となる。
【００９８】
（実施の形態３）
図６は、本発明の実施の形態３における昇圧回路を有した昇圧回路装置の構成を示した図である。本発明の実施の形態３では、本発明の実施の形態１の効果に加えて、端子ＶＰより出力される電圧が立上途中であり著しく低い状態のとき、タイマー回路６０によって計数される所定時間の間、負荷制御回路５０は待機状態に設定されるため、昇圧立上時における負荷制御回路５０の誤動作や発熱増加を防止することができる。
【００９９】
図６に示す昇圧回路３０は、図１に示した昇圧回路１０の構成に加えて、タイマー回路６０を追加している。負荷制御回路５０を除いたそれ以外の構成は昇圧回路１０と同じであるため説明を省略する。
【０１００】
タイマー回路６０は、発振回路１３からクロック信号ＣＬＫが入力され、クロック信号ＣＬＫの発振開始後から所定時間を計数するまでの間、負荷制御回路５０を待機状態に設定する回路である。尚、所定時間は、端子ＶＰの電圧が昇圧動作により初期電圧から上昇して、端子ＶＰ及び端子ＶＧの電圧が確立したとみなせる電圧に達するまでの時間とする。
【０１０１】
負荷制御回路５０は、タイマー回路６０の出力信号がＬレベルの場合、待機状態に設定され、タイマー回路６０の出力信号がＨレベルの場合、待機状態が解除されて動作可能となる。尚、タイマー回路６０の出力信号がＨレベルで待機状態に設定し、タイマー回路６０の出力信号がＬレベルで待機状態を解除するようにしてもよい。
【０１０２】
図７は、タイマー回路６０の動作を説明するためのタイムチャートである。
【０１０３】
端子ＶＣＣ、端子ＢＣ１、端子ＢＣ２、及び端子ＶＰの各電圧波形は、図２に示した各波形と同じであるため説明を省略する。
【０１０４】
時刻ｔ０〜ｔ２までの間では、発振回路１３の発振動作が停止しており、タイマー回路６０における所定時間の計数が行われない。このため、タイマー回路６０から負荷制御回路５０に向けて出力される出力信号はＬレベルを継続する。つまり、負荷制御回路５０は待機状態を継続する。  
【０１０５】
時刻ｔ２では、発振回路１３の発振動作が開始し、発振回路１３からクロック信号ＣＬＫが端子ＢＣ１に向けて出力される。タイマー回路６０は、発振回路１３からクロック信号ＣＬＫが入力され、クロック信号ＣＬＫの立ち上がり又は立ち下りエッジ等に基づいて所定時間を計数する。時刻ｔ２〜ｔ３までの間では、タイマー回路６０は所定時間を計数している段階であるため、タイマー回路６０から負荷制御回路５０に向けて出力される出力信号はＬレベルを継続する。つまり、負荷制御回路５０は待機状態を継続する。
【０１０６】
時刻ｔ３では、タイマー回路６０は、所定時間の計数を完了し、負荷制御回路５０に向けて出力される出力信号をＬレベルからＨレベルに切り替える。つまり、負荷制御回路５０は、待機状態が解除され動作可能となる。
【０１０７】
尚、図７に示したタイマー回路６０が計数する所定時間を、端子ＶＰ及び端子ＶＧの各電圧が初期電圧０Ｖから完全に確立するまでの時間（時刻ｔ２〜ｔ４）に設定してもよい。
【０１０８】
以上のように、タイマー回路６０を設けたことによって、負荷制御回路５０は端子ＶＰ及び端子ＶＧの電圧が確立した状態でより安定した動作が可能となる。  
【０１０９】
（実施の形態４）
図８は、本発明の実施の形態４における昇圧回路を有した昇圧回路装置の構成を示した図である。本発明の実施の形態４では、本発明の実施の形態１の効果に加えて、本発明の実施の形態３と同様に、第１のコンデンサ接続端子より出力される昇圧電圧が立上途中であり著しく低い状態のとき、比較回路７０において昇圧電圧ＶＧが所定の基準電圧ＶＰｔｈが上回るまでの間、負荷制御回路５０は待機状態に設定されるため、昇圧立上時における負荷制御回路５０の誤動作や発熱増加を防止することができる。
【０１１０】
図８に示す昇圧回路４０は、図１に示した昇圧回路１０の構成に加えて、比較回路７０を追加している。負荷制御回路５０を除いたそれ以外の構成は昇圧回路１０と同じであるため説明を省略する。
【０１１１】
比較回路７０は、端子ＶＧの電圧（又は端子ＶＰの電圧）と所定の基準電圧ＶＰｔｈとを比較し、端子ＶＧの電圧が所定の基準電圧ＶＰｔｈを上回るまでの間、負荷制御回路５０を待機状態に設定する。所定の基準電圧ＶＰｔｈは、端子ＶＰ及び端子ＶＧの電圧が確立したとみなせる電圧とする。
【０１１２】
比較回路７０は、本実施の形態では、オペアンプを用いて構成している。オペアンプの非反転入力は端子ＶＧ（又は端子ＶＰ）と接続され、オペアンプの反転入力は基準電圧ＶＰｔｈの電源Ｖ３と接続される。従って、「端子ＶＧの電圧（又は端子ＶＰの電圧）＜基準電圧ＶＰｔｈ」の場合、比較回路７０の出力信号はＬレベルとなり、「端子ＶＧの電圧（又は端子ＶＰの電圧）＞基準電圧ＶＰｔｈ」の場合、比較回路７０の出力信号はＨレベルとなる。
【０１１３】
負荷制御回路５０は、比較回路７０の出力信号がＬレベルの場合、待機状態に設定され、比較回路７０の出力信号がＨレベルの場合、待機状態が解除されて動作可能となる。尚、比較回路７０の出力信号がＨレベルで待機状態に設定し、比較回路６０の出力信号がＬレベルで待機状態を解除するようにしてもよい。
【０１１４】
図９は、比較回路７０の動作を説明するためのタイムチャートである。
【０１１５】
端子ＶＣＣ、端子ＢＣ１、端子ＢＣ２、端子ＶＰの各電圧波形は、図２に示した各波形と同じであるため説明を省略する。
【０１１６】
時刻ｔ０〜ｔ２までの間では、端子ＶＰの電圧は初期電圧０（Ｖ）を維持するため、「端子ＶＧの電圧＜基準電圧ＶＰｔｈ」となり、比較回路７０の出力信号はＬレベルを継続する。つまり、負荷制御回路５０は待機状態を継続する。
【０１１７】
時刻ｔ２〜時刻ｔ３までの間では、端子ＶＰの電圧が昇圧動作開始に伴って上昇するが、「端子ＶＰの電圧＜基準電圧ＶＰｔｈ」となり、比較回路７０の出力信号はＬレベルを継続する。つまり、負荷制御回路５０は待機状態を継続する。
【０１１８】
時刻ｔ３では、「端子ＶＰの電圧＞基準電圧ＶＰｔｈ」となり、比較回路７０の出力信号はＬレベルからＨレベルに切り替わる。このとき、負荷制御回路５０は、待機状態が解除されて動作可能となる。
【０１１９】
以上のように、比較回路７０を設けたことによって、負荷制御回路５０は端子ＶＰ及び端子ＶＧの電圧が確立した状態でより安定した動作を可能とする。  
【産業上の利用可能性】
【０１２０】
本発明に係る昇圧回路及び昇圧回路装置は、電源電圧以上の昇圧電圧が必要とされる電子機器に有用である。
【符号の説明】
【０１２１】
Ｃ１  コンデンサ（第１のコンデンサ）
Ｃ２  コンデンサ（第２のコンデンサ）
１０  昇圧回路
ＶＣＣ  端子（電源端子）
ＶＰ  端子（第１のコンデンサ接続端子）
ＢＣ１  端子（第２のコンデンサ接続端子）
ＢＣ２  端子（第３のコンデンサ接続端子）
１１  整流素子（第１の整流素子）
Ｄ１  ダイオード
１２  整流素子（第２の整流素子）
Ｄ２  ダイオード
１３  発振回路
１４  スイッチング素子
Ｍ１  ＮチャネルＭＯＳ型トランジスタ
Ｐ１  一方の主端子
Ｐ２  他方の主端子
Ｐ３  制御端子
５０  負荷制御回路
８０  負荷
Ｒ１  電流制限抵抗
１８  電圧固定回路
ＺＤ  ツェナーダイオード
６０  タイマー回路
７０  コンパレータ回路
【図１】
2010283954.tif 000003
【図２】
2010283954.tif 000004
【図３】
2010283954.tif 000005
【図４】
2010283954.tif 000006
【図５】
2010283954.tif 000007
【図６】
2010283954.tif 000008
【図７】
2010283954.tif 000009
【図８】
2010283954.tif 000010
【図９】
2010283954.tif 000011
【図１０】
2010283954.tif 000012